(57)【要約】【課題】押しボタンのガイド突出部とグリルのガイド溝部とを嵌め合わせる際の潤滑剤のはみ出しをより効果的に防止する押しボタン構造を提供すること。【解決手段】本発明に係る押しボタン構造は、操作者の力を受ける正面板部３５と、正面板部３５からボタン押し込み方向に沿って延びる周板部３０と、周板部３０の表面で畝状に突出しボタン押し込み方向に延びるガイド突出部３１とを有する押しボタン３、及び、押しボタン３を受け入れる開口１０と、開口１０からボタン押し込み方向に延び周板部３０をボタン押し込み方向にスライド可能に支持する支持部１００と、支持部１００の表面でボタン押し込み方向に沿って設置されガイド突出部３１とスライド可能に嵌め合わされるガイド溝部１０１とを有するグリル１を有し、ガイド突出部３１は、正面板部３５から見た周板部３０の遠位端から所定距離手前で終結する。【選択図】図５
2010198843.tif 000002
【特許請求の範囲】
【請求項１】
操作者の力を受ける正面板部と、該正面板部からボタン押し込み方向に沿って延びる周板部と、該周板部の表面で畝状に突出しボタン押し込み方向に延びるガイド突出部とを有する押しボタン、及び、前記押しボタンを受け入れる開口と、該開口からボタン押し込み方向に延び前記周板部をボタン押し込み方向にスライド可能に支持する支持部と、該支持部の表面でボタン押し込み方向に沿って設置され前記ガイド突出部とスライド可能に嵌め合わされるガイド溝部とを有するグリル、を有する押しボタン構造であって、
前記ガイド突出部は、前記正面板部から見た前記周板部の遠位端から所定距離手前で終結する、
ことを特徴とする押しボタン構造。
【請求項２】
前記ガイド突出部は、ボタン押し下げ方向に向かって突出高さ及び突出幅を逓減させる、
ことを特徴とする請求項１に記載の押しボタン構造。
【請求項３】
前記開口から見た前記ガイド溝部の遠位端は、前記正面板部から見た前記周板部の遠位端のボタン押し込み方向における最奥到達点より奥に位置する、
ことを特徴とする請求項１又は２に記載の押しボタン構造。
【請求項４】
前記開口から見た前記ガイド溝部の遠位端が開放される、
ことを特徴とする請求項１乃至３の何れか一項に記載の押しボタン構造。
【発明の詳細な説明】
【技術分野】
【０００１】
本発明は、電子機器等の操作に用いられる操作ボタンに関する。
【背景技術】
【０００２】
従来、音量調整のためのボリューム、各種入力を行うための押しボタン、並びに、それらボリューム及び押しボタンを取り付け可能に受け入れるグリルで構成される車載オーディオ機器が知られている。
【０００３】
上述の車載オーディオ機器において、押しボタンは、操作者の力を受ける正面板部と、その正面板部からボタン押し込み方向に沿って延びる周板部と、その周板部の表面で畝状に突出しボタン押し込み方向に延びるガイド突出部とを有する。
【０００４】
また、グリルは、押しボタンを受け入れる開口と、その開口の縁からボタン押し込み方向に延び押しボタンの周板部をボタン押し込み方向にスライド可能に支持する支持部と、その支持部の表面でボタン押し込み方向に沿って穿設され押しボタンのガイド突出部とスライド可能に嵌め合わされるガイド溝部とを有する。
【０００５】
車載オーディオ機器は、ガイド突出部とガイド溝部との間のこのような嵌め合い構造を用いることで、押しボタンをボタン押し込み方向にスライド可能にグリルに組み付けられるようにしている。また、押しボタンのスライド動作を円滑にして押しボタンのスライドに伴う操作音を低減させるため、ガイド突出部とガイド溝部との間には潤滑剤（例えば、グリスである。）が塗布される。なお、潤滑剤は通常、ガイド溝部の溝幅より大きな数滴の球状の潤滑剤ポイントの形でガイド溝部上に供給され、押しボタンのガイド突出部とガイド溝部とを嵌め合わせガイド突出部をガイド溝部内でスライドさせることによってガイド溝部の全体に行き渡るようにされる。
【０００６】
しかし、押しボタンのガイド突出部をガイド溝部内でスライドさせる際に潤滑剤がガイド溝部からはみ出して作業者の手にその潤滑剤が付着し、その潤滑剤が付着した手で作業者が別の作業を行うことでその潤滑剤が他の部材に付着してしまい、その除去や洗浄のために車載オーディオ機器の組み付け効率が悪化してしまうという問題がある。
【０００７】
この問題を解決するため、正面板部から見て遠い方にあるガイド突出部の先端にテーパー部を設けその突出幅を維持しながらその突出高さをボタン押し込み方向に向かって逓減させ、且つ、開口から見て遠い方にあるガイド溝部の先端に規制部を設けその溝を閉塞させることによって、潤滑剤がガイド溝部からはみ出さないように潤滑剤を留めるための液溜まり部を備えるようにした押しボタン構造が知られている（例えば、特許文献１参照。）。
【０００８】
ここで、図１〜図４を参照しながら、従来の押しボタン構造をより詳細に説明する。
【０００９】
図１は、従来の押しボタン構造を採用するグリルの正面斜視図であり、グリル１は、押しボタン２を受け入れる開口１０、音量調節のためのボリュームつまみを受け入れる開口１１、ＤＶＤ（Digital  Versatile  Disk）等の光学ディスクを受け入れるためのスロット１２を有する。なお、以下の図を含め、説明の便宜上、グリル１の高さ方向がＹ１−Ｙ２軸に沿って延び、グリル１の幅方向がＸ１−Ｘ２軸に沿って延び、グリル１の奥行き方向がＺ１−Ｚ２軸に沿って延びるものとする。
【００１０】
図２は、図１の領域ＩＩの部分を背面から見た図であり、グリル１は、開口１０からボタン押し込み方向（Ｚ１方向）に延びる四つの支持部１００ａ〜１００ｄを有し、四つの支持部１００ａ〜１００ｄはそれぞれ、内側（開口１０側）を向く支持面上にガイド溝部１０１ａ〜１０１ｄを有する。
【００１１】
また、グリル１は、開口１０からＺ１方向に延びる四つの係止突起１０２ａ〜１０２ｄを有し、四つの係止突起１０２ａ〜１０２ｄはそれぞれ、押しボタン２の係止爪（後述）と係合し、押しボタン２がＺ２方向に抜け落ちることがないようにする。
【００１２】
また、図２に示すように、潤滑剤Ｇは、例えばグリスであり、押しボタン２をグリル１に組み付ける前にグリス塗布機等を用いてガイド溝部１０１ａ〜１０１ｄのそれぞれに数滴ずつ塗布される。グリスＧは、通常、グリス塗布機のニードル（吐出口）先端の幅がガイド溝部１０１ａ〜１０１ｄの幅より大きいため、ガイド溝部１０１ａ〜１０１ｄのガイド溝内に直接塗布されることはなく、図２に示すように、ガイド溝部１０１ａ〜１０１ｄのガイド溝を跨ぐようにガイド溝上（ガイド溝の入口）に塗布される。
【００１３】
図３は、押しボタン２の背面斜視図であり、押しボタン２は、操作者が押す力を受ける正面板部２５と、正面板部２５の背面からＺ１方向に延びる四つの周板部２０ａ〜２０ｄとを有し、四つの周板部２０ａ〜２０ｄはそれぞれ、外側を向く面上にガイド突出部２１ａ〜２１ｄを有する。
【００１４】
また、押しボタン２は、正面板部２５の背面からＺ１方向に延びる四つの係止爪２２ａ〜２２ｄを有し、四つの係止爪２２ａ〜２２ｄはそれぞれ、グリル１の四つの係止突起１０２ａ〜１０２ｄと係合して押しボタン２がＺ２方向に抜け落ちるのを防止する。
【００１５】
図４は、図３の領域ＩＶの拡大図であり、周板部２０ａの外側面で畝状（凸状）に突出するガイド突出部２１ａの端面２６ａと周板部２０ａの端面２７ａとが同一平面を形成していることを示す。ガイド突出部２１ｂ〜２１ｄについても同様である。
【００１６】
また、ガイド突出部２１ａ〜２１ｄの突出高さ及び突出幅はそれぞれ、グリル１のガイド溝部１０１ａ〜１０１ｄの深さ及び幅にほぼ一致し、ガイド突出部２１ａ〜２１ｄのそれぞれがガイド溝部１０１ａ〜１０１ｄ内でがたつくことなくスライドできるようにする。
【先行技術文献】
【特許文献】
【００１７】
【特許文献１】特開２００８−１９２４４９号公報
【発明の概要】
【発明が解決しようとする課題】
【００１８】
しかしながら、上述したような従来の押しボタン構造は、正面板部から見て遠い方にあるガイド突出部の端面と正面板部から見て遠い方にある周板部の端面とが同一平面となるようにしているので、その周板部は、その端面によってガイド溝部上の潤滑剤をボタン押し込み方向に押し込みはするものの、その潤滑剤をガイド溝内に導くことはできず、潤滑剤のはみ出しを防止する効果が十分でない。
【００１９】
上述の点に鑑み、本発明は、押しボタンのガイド突出部とグリルのガイド溝部とを嵌め合わせる際の潤滑剤のはみ出しをより効果的に防止する押しボタン構造を提供することを目的とする。
【課題を解決するための手段】
【００２０】
上述の目的を達成するために、第一の発明に係る押しボタン構造は、操作者の力を受ける正面板部と、該正面板部からボタン押し込み方向に沿って延びる周板部と、該周板部の表面で畝状に突出しボタン押し込み方向に延びるガイド突出部とを有する押しボタン、及び、前記押しボタンを受け入れる開口と、該開口からボタン押し込み方向に延び前記周板部をボタン押し込み方向にスライド可能に支持する支持部と、該支持部の表面でボタン押し込み方向に沿って設置され前記ガイド突出部とスライド可能に嵌め合わされるガイド溝部とを有するグリル、を有する押しボタン構造であって、前記ガイド突出部は、前記正面板部から見た前記周板部の遠位端から所定距離手前で終結することを特徴とする。
【００２１】
また、第二の発明は、第一の発明に係る押しボタン構造であって、前記ガイド突出部は、ボタン押し下げ方向に向かって突出高さ及び突出幅を逓減させることを特徴とする。
【００２２】
また、第三の発明は、第一又は第二の発明に係る押しボタン構造であって、前記開口から見た前記ガイド溝部の遠位端は、前記正面板部から見た前記周板部の遠位端のボタン押し込み方向における最奥到達点より奥に位置することを特徴とする。
【００２３】
また、第四の発明は、第一乃至第三の何れかの発明に係る押しボタン構造であって、前記開口から見た前記ガイド溝部の遠位端が開放されることを特徴とする。
【発明の効果】
【００２４】
上述の手段により、本発明は、押しボタンのガイド突出部とグリルのガイド溝部とを嵌め合わせる際の潤滑剤のはみ出しをより効果的に防止する押しボタン構造を提供することができる。
【図面の簡単な説明】
【００２５】
【図１】従来の押しボタン構造を採用するグリルの正面斜視図である。
【図２】図１の領域ＩＩの部分を背面から見た図である。
【図３】従来の押しボタン構造で使用される押しボタンの背面斜視図である。
【図４】図３の領域ＩＶの拡大図である。
【図５】本発明に係る押しボタン構造で使用される押しボタンの背面斜視図である。
【図６】図５の領域ＶＩの拡大図である。
【図７】図５の押しボタンをグリルに組み付けた状態を背面から見た図である。
【図８】図７のＶＩＩＩ−ＶＩＩＩ線に沿った断面図である。
【図９】図８のＩＸ−ＩＸ線に沿った断面図である。
【図１０】別のガイド突出部を備えた押しボタンを示す図である。
【図１１】図１０のＸＩ−ＸＩ線に沿った断面図である。
【図１２】ボタン構造の動作に関連する部品群の断面図である。
【図１３】図１２で示す部品群の組立図である。
【図１４】図１３のＸＩＶ−ＸＩＶ線に沿った断面図である。
【図１５】押しボタンにおける周板部の端面形状を示す図（その１）である。
【図１６】押しボタンにおける周板部の端面形状を示す図（その２）である。
【発明を実施するための形態】
【００２６】
以下、図面を参照しつつ、本発明を実施するための最良の形態の説明を行う。
【実施例】
【００２７】
図５は、本発明に係る押しボタン構造で使用される押しボタンの実施例である押しボタン３の背面斜視図であり、図６は、図５の領域ＶＩの拡大図である。なお、押しボタン３と協働する押しボタン構造における他の部材は、図１及び図２における部材と同等であるものとする。
【００２８】
押しボタン３は、図３で示される従来の押しボタン２と同様、操作者が押す力を受ける正面板部３５と、正面板部３５の背面からＺ１方向に延びる四つの周板部３０ａ〜３０ｄとを有し、四つの周板部３０ａ〜３０ｄはそれぞれ、外側を向く面上にガイド突出部３１ａ〜３１ｄを有する。
【００２９】
また、押しボタン３は、押しボタン２と同様、正面板部３５の背面からＺ１方向に延びる四つの係止爪３２ａ〜３２ｄを有し、四つの係止爪３２ａ〜３２ｄはそれぞれ、グリル１の四つの係止突起１０２ａ〜１０２ｄと係合して押しボタン３がＺ２方向に抜け落ちるのを防止する。
【００３０】
また、押しボタン３は、図６に示すように、周板部３０ａの外側面で畝状に突出するガイド突出部３１ａを有し、ガイド突出部３１ａは、周板部３０ａの端面３７ａからＺ２方向に距離Ｄだけ離れた位置から突出し始め、Ｚ２方向に向かって突出高さ及び突出幅を徐々に増大させながら、最終的にグリル１のガイド溝部１０１ａの深さ及び幅にほぼ一致する突出高さ及び突出幅を形成し、これにより、潤滑剤を収容可能な容積Ｑと容積Ｑ内に進入したその潤滑剤をガイド溝部１０１ａの深さ方向（Ｘ１方向）及び幅方向（Ｙ１及びＹ２方向）に導く曲線状の輪郭とを形成する。ガイド突出部３１ｂ〜３１ｄについても同様である。
【００３１】
この構成により、押しボタン３は、グリスＧがガイド溝部１０１ａ〜１０１ｄ上に塗布された状態でグリル１に組み付けられると、押しボタン２のようにガイド突出部２１ａ〜２１ｄの端面２６ａ〜２６ｄでＺ１方向にグリスＧを押しやることなく、グリスＧをガイド溝部１０１ａ〜１０１ｄ内の容積Ｑに導き、グリスＧをガイド溝部１０１ａ〜１０１ｄ内の全体に行き渡らせることができる。
【００３２】
図７は、押しボタン３をグリル１に組み付けた状態を背面から見た図であり、押しボタン３の周板部３０ａ〜３０ｄから突出するガイド突出部３１ａ〜３１ｄのそれぞれが、グリル１の支持部１００ａ〜１００ｄに穿たれたガイド溝部１０１ａ〜１０１ｄのそれぞれに嵌め合わされ、押しボタン３の係止爪３２ａ〜３２ｄのそれぞれが、グリル１の係止突起１０２ａ〜１０２ｄのそれぞれと係合した状態を示す。
【００３３】
図８は、図７のＶＩＩＩ−ＶＩＩＩ線に沿った断面図であり、押しボタン３における周板部３０ａのガイド突出部３１ａがグリル１における支持部１００ａのガイド溝部１０１ａ内にスライド可能に嵌め合わされ、図８（Ａ）の状態から図８（Ｂ）の状態に向かって、ガイド突出部３１ａとガイド溝部１０１ａとの間の僅かな隙間にグリスＧが長手方向（Ｚ方向）全体に行き渡る状態を示す。
【００３４】
また、図８（Ｂ）は、押しボタン３をＺ１方向に限界まで押し込んだ状態を示し、ガイド溝部１０１ａのＺ１方向の端部が、周板部３０ａのＺ１方向の端部の最奥到達点より奥に位置することを示す。
【００３５】
これにより、この押しボタン構造は、周板部３０ａのＺ１方向の端部が最奥到達点に達した場合であっても、ガイド溝部１０１ａ内にグリスＧを収容するための空間（ガイド突出部３１ａが進入しない空間）を残すことができ、グリスＧのガイド溝部１０１ａからのはみ出しをより確実に防止することができる。
【００３６】
更に、ガイド溝部１０１ａは、図８に示すように、Ｚ１方向の端部に壁を設けて溝を閉塞することなく、開放されていてもよい。ガイド溝部１０１ａのＺ１方向の端部を、周板部３０ａのＺ１方向の端部の最奥到達点より奥に位置付けることで、グリスＧのガイド溝部１０１ａからのはみ出しを防止することができるからであり、溝を塞ぐための壁を省略することでガイド溝部１０１ａの加工を容易にすることができるからである。
【００３７】
また、図９は、図８のＩＸ−ＩＸ線に沿った断面図であり、周板部３０ａの長手方向（Ｚ軸方向）に亘ってガイド溝部１０１ａの深さ及び幅のそれぞれにほぼ等しい突出高さ及び突出幅を有するガイド突出部３１ａが、Ｚ１方向に向かってその突出高さ及び突出幅を逓減させ（先細りさせ）、その突出を周板部３０ａの端面３７ａからＺ２方向に所定距離だけ離れた位置で終結させる構造を有することを示し、また、このガイド突出部３１ａの構成がガイド溝部１０１ａの上に塗布されたグリスＧをガイド溝部１０１ａからはみ出させたままＺ１方向に押しやることなくガイド溝部１０１ａ内に取り込むことを示す。
【００３８】
図１０及び図１１は、図６、図８及び図９に示すように曲面状の輪郭を形成しながらその突出高さ及び突出幅を逓減させるガイド突出部３１ａとは別の先端形状を有するガイド突出部４１ａを備えた押しボタン４を示す図であり、図１１は、図１０のＸＩ−ＸＩ線に沿った断面図である。
【００３９】
図１０及び図１１で示すように、押しボタン４における周板部４０ａのガイド突出部４１ａは、直線を描きながらその突出高さ及び突出幅を逓減させ、その突出を周板部４０ａの端面４７ａからＺ２方向に所定距離だけ離れた位置で終結させる構造を有する。
【００４０】
この構造により、押しボタン４における周板部４０ａのガイド突出部４１ａは、ガイド溝部１０１ａの上に塗布されたグリスＧをガイド溝部１０１ａからはみ出させたままＺ１方向に押しやることなくガイド溝部１０１ａ内に取り込むことができる。
【００４１】
次に、図１２〜図１４を参照しながら、本発明に係る押しボタン構造を採用したグリルアセンブリにおける押しボタンの動作について説明する。なお、図１２は、本ボタン構造の動作に関連する部品群（グリル１、押しボタン３、ホルダ５、ラバースイッチ６、印刷配線板７）のそれぞれを、押しボタン３の高さ方向（Ｙ軸方向）の中点を通るＸＺ平面で切り取った断面図で示す。また、図１３は、図１２で示す部品群を組み立てた図であり、図１４は、図１３のＸＩＶ−ＸＩＶ線に沿った断面図である。
【００４２】
ホルダ５は、箱状に形成される部品であり、押しボタン３の四つの周板部３０ａ〜３０ｄによって囲まれた中空部分に装入され、周板部３０ａ〜３０ｄのそれぞれの内側面によって挟まれて固定される。また、ホルダ５は、押しボタン３に固定された状態でラバースイッチ６のボス部６１と接触しており、押しボタン３が押圧されるとそれに応じてボス部６１を押圧する。
【００４３】
ラバースイッチ６は、絶縁性及び弾性の双方を有する合成樹脂で形成される部品であり、ボス部６１と平板部６２とを一体的に備え、印刷配線板７のＺ２側の表面に重ねて配置される。ボス部６１は、平板部６２が印刷配線板７に重ねられたときに、印刷配線板７に形成された接点７０の正面となる位置に設けられ、平板部６２を貫通する露出孔６０と、露出孔６０の内縁から立設した立設部６３と、立設部６３の端に連なる接離部６４とを備えている。
【００４４】
露出孔６０は、円形であり、平板部６２を貫通して印刷配線板７に形成された接点７０を露出させる。立設部６３は、露出孔６０の縁の全周からホルダ５方向（Ｚ２方向）に向かって内径を逓減させながら傾斜して延び、裁頭円錐状の外形を形成する。
【００４５】
接離部６４は、円柱状に形成される部品であり、立設部６３のホルダ５寄りの端に接続され、印刷配線板７の接点７０と相対する面に接点６６を有する。接点６６は、立設部６３が弾性変形していない中立状態では接点７０と間隔を空けて配置されるが、接離部６４がＺ１方向に押圧され立設部６３が弾性変形すると接点７０に接触させられる。
【００４６】
印刷配線板７は、グリル１内に収容される部品であり、絶縁性の基板と、その基板表面に形成された配線パターンとから構成される。
【００４７】
ラバースイッチ６及び印刷配線板７はそれぞれ、グリル１の支持部１００、及び、押しボタン３の周板部３０が貫通可能な大きさの孔６５、７５を備え、グリル１、押しボタン３、ホルダ５、及び、ボス部６１を適切に配置できるようにする。
【００４８】
以上のような構成により、押しボタン３は、正面板部３５でＺ１方向の力を受けると、グリル１の支持部１００ａ〜１００ｄ（以下、集合的に「支持部１００」とする。他の構成要素についても同様とする。）におけるガイド溝部１０１内でガイド突出部３１をＺ１方向にスライドさせてホルダ５をＺ１方向に押し込み、立設部６３を弾性変形させてボス部６１にある接点６６と印刷配線板７にある接点７０とを接触させる。
【００４９】
反対に、正面板部３５で受けていたＺ１方向の力が消滅すると、押しボタン３は、図１４に示すように、弾性変形した立設部６３の復元力によりＺ２方向にスライドさせられ、立設部６３が弾性変形のない中立状態に復帰したところで、係止爪３２をグリル１の係止突起１０２に係合させ、Ｚ２方向への押しボタン３の更なるスライドを禁止する。
【００５０】
以上の構成により、本実施例に係る押しボタン構造は、周板部のボタン押し込み方向（Ｚ１方向）の端面からボタン戻り方向（Ｚ２方向）に所定距離だけ離れたその周板部の外側面上の位置でガイド突出部を突出させ始める構成を採り、ガイド突出部がガイド溝部内をＺ１方向に初めてスライドする際に、ガイド溝部上に塗布された潤滑剤をガイド溝部内に引き込み易くするので、潤滑剤のガイド溝部からのはみ出しをより効果的に防止することができる。
【００５１】
また、本実施例に係る押しボタン構造は、ガイド突出部の突出開始位置からＺ２方向に向かってその突出高さ及び突出幅を徐々に増大させながら最終的にグリルのガイド溝部の深さ及び幅にほぼ一致する突出高さ及び突出幅を形成する構成を採り、ガイド突出部がガイド溝部内をＺ１方向に初めてスライドする際に、ガイド溝部上に塗布された潤滑剤をガイド溝部内に引き込み易くするので、潤滑剤のガイド溝部からのはみ出しをより効果的に防止することができる。
【００５２】
また、本実施例に係る押しボタン構造は、ガイド溝部のボタン押し込み方向（Ｚ１方向）の端面を、周板部のボタン押し込み方向（Ｚ１方向）の端面が到達可能な最奥点よりも奥に位置付ける構成を採り、ガイド突出部のスライドによってボタン押し込み方向（Ｚ１方向）に押し出される潤滑剤を受け入れる空間を備えることにより、潤滑剤のガイド溝部からのはみ出しをより効果的に防止することができる。
【００５３】
また、本実施例に係る押しボタン構造は、ガイド溝部のボタン押し込み方向（Ｚ１方向）の端を塞ぐことなく開放したままとする構成を採るので、ガイド溝部を加工し易くすることができる。
【００５４】
以上、本発明の好ましい実施例について詳説したが、本発明は、上述した実施例に制限されることはなく、本発明の範囲を逸脱することなしに上述した実施例に種々の変形及び置換を加えることができる。
【００５５】
例えば、上述の実施例において、周板部の端面３７ａは、ボタン押し込み方向（Ｚ軸方向）に対して垂直であるが（ＸＹ平面上にあるが）、図６に対応する図１５で示すように、ガイド突出部３１ａが配置される側の面の長さ（Ｚ軸方向の長さ）がその反対側の面の長さよりも短くなるよう傾斜していてもよい。ガイド溝部上に塗布されたグリスをガイド溝部内に更に導き易くするためである。この場合、ガイド突出部３１ａの突出開始位置は、端面３７ａの縁であってもよい。
【００５６】
また、周板部の端面３７ａは、同じく図６に対応する図１６で示すように、ガイド突出部３１ａに対応する部分のみがガイド突出部３１ａに向かって傾斜する態様であってもよい。この場合においても、ガイド突出部３１ａの突出の開始位置は、端面３７ａの縁であってもよい。
【符号の説明】
【００５７】
１      グリル
２、３、４  押しボタン
５      ホルダ
６      ラバースイッチ
６０    露出孔
６１    ボス部
６２    平板部
６３    立設部
６４    接離部
６５    孔
６６    接点
７      印刷配線板
７０    接点
７５    孔
１０、１１  開口
１２    スロット
２０、３０  周板部
２１、３１、４１  ガイド突出部
２２、３２  係止爪
２５、３５  正面板部
２６、３６  ガイド突出部の端面
２７、３７、４７  周板部の端面
１００  支持部
１０１  ガイド溝部
１０２  係止突起
Ｇ      グリス
【図４】
2010198843.tif 000003
【図６】
2010198843.tif 000004
【図１５】
2010198843.tif 000005
【図１６】
2010198843.tif 000006
【図１】
2010198843.tif 000007
【図２】
2010198843.tif 000008
【図３】
2010198843.tif 000009
【図５】
2010198843.tif 000010
【図７】
2010198843.tif 000011
【図８】
2010198843.tif 000012
【図９】
2010198843.tif 000013
【図１０】
2010198843.tif 000014
【図１１】
2010198843.tif 000015
【図１２】
2010198843.tif 000016
【図１３】
2010198843.tif 000017
【図１４】
2010198843.tif 000018